(57)【要約】      （修正有）【課題】棒状物が空気排気口から侵入しても電子部品との間に適正な距離を確保することができるとともに、空気排気口の圧力損失を低減させることができる電子機器を提供する。【解決手段】筐体２と、筐体に組み込まれたファン６と、筐体の内部に収納された発熱電子部品を含む複数の電子部品と、を備えている。ファンの駆動により、筐体の第１側壁２ｂに形成した空気取り入れ口４から筐体の第２側壁２ａに形成した空気排出口３への冷却空気の流れが筐体内部に発生することで発熱電子部品が冷却される。第２側壁近くの筐体の内部には、空気排出口に向けて冷却空気が通過する複数の通気口２４を形成した保護板７が配置されている。そして、棒状物が空気排出口から侵入したときに、保護板が、棒状物の先端が電子部品に接触するのを阻止するようにしている。【選択図】図１
2019016751.tif 000002
【特許請求の範囲】
【請求項１】
筐体と、前記筐体に組み込まれたファンと、前記筐体の内部に収納された発熱電子部品を含む複数の電子部品と、を備え、
前記ファンの駆動により、前記筐体の第１側壁に形成した空気取り入れ口から前記筐体の第２側壁に形成した空気排出口への冷却空気の流れが前記筐体の内部に発生することで前記発熱電子部品が冷却されているとともに、
前記第２側壁近くの前記筐体の内部に、前記空気排出口に向けて前記冷却空気が通過する複数の通気口が形成され、棒状物が前記空気排出口から侵入したときに、前記棒状物の先端が前記電子部品に接触するのを阻止する保護板が配置されている電子機器。
【請求項２】
前記第２側壁の空気排出口は、前記棒状物の直径より大きな形状で複数開口し、
前記保護板は、Ｌ字形状に折り曲げられた第１平板及び第２平板を備え、前記第１平板が前記第２側壁に直交して配置され、前記第２平板が前記第２側壁に平行に対向して配置されており、
前記第１平板に、前記棒状物の直径より大きな形状で複数の保護用大径通気口が形成され、
前記第２平板には通気口が形成されていない請求項１記載の電子機器。
【請求項３】
前記第２側壁の空気排出口は、前記棒状物の直径より大きな形状で複数開口し、
前記保護板は、Ｌ字形状に折り曲げられた第１平板及び第２平板を備え、前記第１平板が前記第２側壁に直交して配置され、前記第２平板が前記第２側壁に平行に対向して配置されており、
前記第１平板に、前記棒状物の直径より大きな形状で複数の保護用大径通気口が形成され、
前記第２平板に、前記棒状物の直径より小さな形状で複数の保護用小径通気口が形成されている請求項１記載の電子機器。
【請求項４】
前記第２側壁の空気排出口は、前記棒状物の直径より大きな形状で複数開口し、
前記保護板は、前記棒状物の直径より大きな形状で複数の保護用大径通気口が形成されているとともに、
前記保護板が、高さ方向に前記第２側壁に対して所定の傾斜を付けて配置することで、前記棒状物の先端が、前記保護用大径通気口の周縁に接触して前記複数の電子部品に接触するのが阻止されるようにした請求項１記載の電子機器。
【請求項５】
前記第２側壁の空気排出口は、前記棒状物の直径より大きな形状で複数開口し、
前記保護板は、Ｌ字形状に折り曲げられた第１平板及び第２平板と、前記第２平板から連続して同一方向にＬ字形状に折り曲げられた第３平板及び第４平板と、を備え、前記第１平板及び第３平板が前記第２側壁に直交して配置され、前記第２平板及び前記第４平板が前記第２側壁に平行に対向し、
前記第１平板及び前記第３平板に、前記棒状物の直径より大きな形状で複数の保護用大径通気口が形成され、
前記第２平板及び前記第４平板に、前記棒状物の直径より小さな形状で複数の保護用小径通気口が形成されている請求項１記載の電子機器。
【請求項６】
前記第２側壁の空気排出口は、前記棒状物の直径より大きな開口部として形成され、
前記保護板は、前記棒状物の直径より小さな形状で複数の保護用小径通気口が形成されているとともに、
前記保護板が、高さ方向に前記第２側壁に対して所定の傾斜を付けて配置されている請求項１記載の電子機器。
【請求項７】
前記第２側壁の空気排出口は、前記棒状物の直径より大きな開口部として形成され、
前記保護板には、一端側が前記棒状物の直径より小さな形状で保護用小径通気口が形成され、他端側に向かうに従い徐々に大きな形状で形成されているとともに、前記他端側が前記棒状物の直径より大きな形状で保護用大径通気口が形成され、
前記保護板が、下側に前記保護用小径通気口が形成され、上側に前記保護用大径通気口が位置して高さ方向に前記第２側壁に対して所定の傾斜を付けて配置されている請求項１記載の電子機器。
【請求項８】
筐体と、前記筐体に組み込まれたファンと、前記筐体の内部に収納された発熱電子部品を含む複数の電子部品と、を備え、
前記ファンの駆動により、前記筐体の第１側壁に形成した空気取り入れ口から前記筐体の第２側壁に形成した空気排出口への冷却空気の流れが前記筐体の内部に発生することで前記発熱電子部品が冷却されており、
前記第２側壁の空気排出口は、前記筐体の内部に侵入する棒状物の直径より大きな形状で複数開口し、
前記複数の空気排出口の周囲に、当該空気排出口から侵入した前記棒状物が係合して前記電子部品側に向かうのを阻止するルーバーを設けた電子機器。
【請求項９】
筐体と、前記筐体に組み込まれたファンと、前記筐体の内部に収納された発熱電子部品を含む複数の電子部品と、を備え、
筐体の内部に発熱電子部品を含む複数の電子部品が収納され、ファンを有し、
前記ファンの駆動により、前記筐体の第１側壁に形成した空気取り入れ口から前記筐体の第２側壁に形成した空気排出口への冷却空気の流れが前記筐体の内部に発生することで前記発熱電子部品が冷却されており、
前記第２側壁は、前記筐体の外側に膨出した凸状の壁面、前記筐体の内側に凹んだ凹状の壁面、或いは凹凸状が繰り返されている壁面として形成されているとともに、
前記第２側壁の空気排出口は、前記筐体の外部から侵入しようとする棒状物の直径より小さな形状で複数形成されている電子機器。
【請求項１０】
前記棒状物は、日本工業規格  ＪＩＳ  Ｄ  ５０２０  に記載されている、直径Ｄ＝２．５mm、長さＬ＝１００mmの試験プローブである請求項１から請求項９の何れか１項に記載の電子機器。
【請求項１１】
請求項１から請求項１０の何れか１項に記載の電子機器を備え、直流電力を交流電力に電力変換する電力変換装置。
【発明の詳細な説明】
【技術分野】
【０００１】
本発明は、筐体内部に、発熱する電子部品に冷却空気を接触させるファンが収納されている電子機器及び電力変換装置に関する。
【背景技術】
【０００２】
特許文献１の電子機器は、筐体内部に、発熱する電子部品を含む複数の電子部品が実装された回路基板と、筒状のヒートシンクと、ファンとが収納されており、ヒートシンクは基板上に設置され、ヒートシンクの取り入れ口にファンが接続されている。ファンが駆動すると、筐体の外部からヒートシンクの取り入れ口に入った冷却空気は、ヒートシンクの通風路を通過して取り入れ口とは逆側の筐体に設けた排気口から外部に吹き出される。
【０００３】
この特許文献１の装置は、筐体の排気口に設けた複数の通気孔によって生じる圧力損失により、筐体の内部を通過した空気が外部に排出し難くなる。
排気口の通気孔を大きくすれば圧力損失を低減できるが、例えばこの装置を自動車に適用しようとしたときに、自動車部品としての保護規格を満たさなくなるおそれがある。
非特許文献１は、自動車用電気装置の筐体内部に配置されている電子部品の保護構造について外来物、水及び接近に対する保護を規定している。
【０００４】
この非特許文献１では、国際保護コードの第１特性数字及び付加文字が「ＸＣ」の場合の要求事項として、直径２．５mm、長さ１００mmの試験プローブは、全体が侵入しても良いが、危険な箇所との間に適正な距離を確保しなければならないと規定している。
試験プローブとは、例えば針金のような棒状物であり、この針金のような棒状物が筐体の内部に侵入しても、危険な箇所（電子部品）との間に適正な距離を確保しなければならない、と規定している。
【先行技術文献】
【特許文献】
【０００５】
【特許文献１】特許第４６５５９８７号公報
【非特許文献】
【０００６】
【非特許文献１】日本工業規格  ＪＩＳ  Ｄ  ５０２０
【発明の概要】
【発明が解決しようとする課題】
【０００７】
そこで、本発明は、針金のような棒状物が空気排気口から侵入しても電子部品との間に適正な距離を確保することができるとともに、空気排気口の圧力損失を低減させることで、小型で安価なファンを使用することができる電子機器及び電力変換装置を提供することを目的としている。
【課題を解決するための手段】
【０００８】
上記目的を達成するために、本発明の一態様に係る電子機器は、筐体と、前記筐体に組み込まれたファンと、前記筐体の内部に収納された発熱電子部品を含む複数の電子部品と、を備えている。そして、ファンの駆動により、筐体の第１側壁に形成した空気取り入れ口から筐体の第２側壁に形成した空気排出口への冷却空気の流れが筐体内部に発生することで前記発熱部品が冷却されている。そして、第２側壁近くの前記筐体の内部に、空気排出口に向けて冷却空気が通過する複数の通気口が形成されており、棒状物が空気排出口から侵入したときに、棒状物の先端が前記電子部品に接触するのを阻止する保護板が配置されている。
【０００９】
ここで、第２側壁に形成した空気排出口と保護板に形成した通気口の具体的な形状は、長軸方向が水平方向に延在する複数の横長スリット、或いは、複数の円形状や多角形状の孔である。
また、本発明の一態様に係る電力変換装置は、上述した電子機器を備え、直流電力を交流電力に電力変換する装置である。
【発明の効果】
【００１０】
本発明に係る電子機器及び電力変換装置によれば、棒状物が空気排気口から侵入しても電子部品との間に適正な距離を確保することができるとともに、排気口の圧力損失を低減させることで、小型で安価なファンを使用することができる。
【図面の簡単な説明】
【００１１】
【図１】本発明に係る第１実施形態の電力変換装置の概略を示す斜視図である。
【図２】第１実施形態の電力変換装置の短辺側の一方の内部構造を示す図である。
【図３】本発明に係る第２実施形態の電力変換装置の概略を示す斜視図である。
【図４】第２実施形態の電力変換装置の短辺側の一方の内部構造を示す図である。
【図５】本発明に係る第３実施形態の電力変換装置の概略を示す斜視図である。
【図６】第３実施形態の電力変換装置の短辺側の一方の内部構造を示す図である。
【図７】本発明に係る第４実施形態の電力変換装置の概略を示す斜視図である。
【図８】第４実施形態の電力変換装置の短辺側の一方の内部構造を示す図である。
【図９】本発明に係る第５実施形態の電力変換装置の概略を示す斜視図である。
【図１０】第５実施形態の電力変換装置の短辺側の一方の内部構造を示す図である。
【図１１】第５実施形態の電力変換装置の保護板の形状を示す図である。
【図１２】本発明に係る第６実施形態の電力変換装置の概略を示す斜視図である。
【図１３】第６実施形態の電力変換装置の短辺側の一方の内部構造を示す図である。
【図１４】本発明に係る各実施形態の短辺側の一方の側壁の形状を示す図である。
【図１５】本発明に係る各実施形態の短辺側の一方の側壁の他の形状を示す図である。
【図１６】本発明に係る第７実施形態の電力変換装置の概略を示す斜視図である。
【図１７】第７実施形態の電力変換装置の短辺側の一方の内部構造を示す図である。
【図１８】本発明に係る第８実施形態の電力変換装置の概略を示す斜視図である。
【図１９】第８実施形態の電力変換装置の短辺側の一方の内部構造を示す図である。
【図２０】本発明に係る第９実施形態の電力変換装置の概略を示す斜視図である。
【図２１】第９実施形態の電力変換装置の短辺側の一方の内部構造を示す図である。
【図２２】本発明に係る第１０実施形態の電力変換装置の概略を示す斜視図である。
【図２３】第１０実施形態の電力変換装置の短辺側の一方の内部構造を示す図である。
【図２４】本発明に係る第１１実施形態の電力変換装置の概略を示す斜視図である。
【図２５】第１１実施形態の電力変換装置の短辺側の一方の内部構造を示す図である。
【発明を実施するための形態】
【００１２】
次に、図面を参照して、本発明の第１から第１１実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
【００１３】
また、以下に示す第１から第１１実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１４】
［第１実施形態の電力変換装置］
以下、本発明に係る電子機器を備える電力変換装置の第１実施形態について、図１及び図２を参照して説明する。なお、以下の説明で記載されている「上」、「下」、「底」、「前」、「後」等の方向を示す用語は、添付図面の方向を参照して用いられている。
第１実施形態の電力変換装置１は、ＤＣ／ＡＣコンバータとして使用される装置であり、有底箱形状であって平面視が長方形の金属板からなるケース２と、ケース２の上部開口を閉塞する蓋（図２の符号８）とを備えている。
【００１５】
ケース２の短辺側の一方（右側）の側壁２ａには、側壁２ａの板厚方向に連通する複数の通風孔３が形成されている。複数の通風孔３は、長軸方向がケース２の長辺側の側壁２ｄ，２ｅ側に延在し、短軸方向に複数のものが隣接している横長スリットである（以下、複数の横長スリット３と称する）。これら複数の横長スリット３は、長辺側の側壁２ｄ，２ｅ側に複数組形成されている。
【００１６】
また、図１に示すように、ケース２の短辺側の他方（左側）の側壁２ｂにも、複数の通風孔４が形成されている。
第１実施形態の電力変換装置１は、制御コネクタ（不図示）に制御信号を入力すると、入力コネクタ（不図示）に入力された直流電力が後に説明する電力変換制御ユニットにより直流から交流に変換され、出力コネクタ（不図示）から交流電力として出力されるようになっている。
【００１７】
ケース２の内部には、電力変換制御ユニット、ヒートシンク５、ファン６及び保護板７が配置されている。
電力変換制御ユニットは、回路基板１０、リアクトル１１、第１電解コンデンサ１２、第２電解コンデンサ１３、第３電解コンデンサ１４（図２参照）、トランス１５、チョークコイル１６，１７及び複数の半導体デバイス（例えばＭＯＳ−ＦＥＴ）１８などの制御部品を有して構成されている。
【００１８】
回路基板１０は、ケース２の底板２ｃの平面形状より小さな長方形状をなし、底板２ｃの上面に形成した支持台（不図示）上に固定されている。
この回路基板１０上に、リアクトル１１、第１電解コンデンサ１２、第２電解コンデンサ１３、第３電解コンデンサ１４、トランス１５、チョークコイル１６，１７及び複数の半導体デバイス１８が実装されているとともに、ヒートシンク５が固定されている。
【００１９】
ヒートシンク５は、熱伝導率が大きい、例えばアルミニウムや、アルミニウム合金を押し出し成形することで形成した直方体形状の部材である。
このヒートシンク５のファン６側の一端の空気取り入れ口（不図示）から他端の空気吹き出し口１９の間に、複数の通風路が平行に形成されている。
ファン６は、空気取り入れ口を覆った状態でヒートシンク５に一体に固定されている。
【００２０】
チョークコイル１６，１７は、ヒートシンク５の空気吹き出し口１９の近くで回路基板１０に実装されている。チョークコイル１６，１７の一方の側壁２ａ側には、平板状のコイル保護板２０が回路基板１０から立ち上がって設けられている。
トランス１５は、ヒートシンク５の一方の側壁の近くで回路基板１０に実装されている。
【００２１】
複数の半導体デバイス１８は、ヒートシンク５の一方の側壁に接触した状態で回路基板１０に実装されている。
第１電解コンデンサ１２は、ヒートシンク５の他方の側壁に対向する位置で回路基板１０に実装されている。また、第２電解コンデンサ１３は、ヒートシンク５の一方の側壁に対向する位置で回路基板１０に実装されている。さらに、第３電解コンデンサ１４は、多数の通風孔が形成されているケース２の短辺側の一方の側壁２ａの近くの位置で回路基板１０に実装されている。
【００２２】
保護板７は、図２に示すように、長尺板材の短尺方向をＬ字状に折り曲げて形成した第１平板２１及び第２平板２２と、第１平板２１の長手方向両端部に設けたケース固定部２３とを備えた部材である。
この保護板７は、第１平板２１が一方の側壁２ａの略半分の高さ位置に、側壁２ａの内面に直交してチョークコイル１６、１７側に延在し、第２平板２２が一方の側壁２ａに平行に対向するように、ケース固定部２３がケース２の長辺側の側壁２ｄ，２ｅに固定されている。
【００２３】
第１平板２１には、第１平板２１の板厚方向に連通する複数の通風孔２４が形成されている。複数の通風孔２４は、長軸方向がケース２の長辺側の側壁２ｄ，２ｅ側に延在し、短軸方向に複数のものが隣接しているスリット（以下、第１保護スリット２４と称する）。これら複数の第１保護スリット２４は、長辺側の側壁２ｄ，２ｅ側に複数組形成されている。
【００２４】
また、第２平板２２には、通風孔が形成されていない。
ここで、第１実施形態の電力変換装置１は、前述した非特許文献１に記載されている自動車用電気装置に関する外来物の接近に対する保護規格に対応した構造となっている。
非特許文献１では、コードの第１、第２特性数字及び付加文字が「ＸＣ」の場合の接近事項として、直径Ｄ＝２．５mm、長さＬ＝１００mmの試験プローブ（図２の符号ＰＢａ，ＰＢｂで示す部材）は電力変換装置１内部に侵入してもよいが、危険な箇所との間に適正な距離を確保しなければならないと規定している。すなわち、第１実施形態の電力変換装置１では、ケース２内部に侵入した試験プローブＰＢａ，ＰＢｂがケース２に配置されている電力変換制御ユニットの一部（例えばチョークコイル１６，１７、第３電解コンデンサ１４）との間に適正な距離を確保しなければならない。
【００２５】
第１実施形態では、ケース２の短辺側の一方の側壁２ａ及び保護板７の板厚は同一寸法Ｔ（mm）に設定されている。
また、側壁２ａに形成した横長スリット３の短軸方向の幅と、保護板７の第１平板２１に形成した第１保護スリット２４の短軸方向の幅は、同一寸法Ｈ（mm）に設定されている。
【００２６】
ここで、側壁２ａの横長スリット３から保護板７の第１保護スリット２４への覗き角度を４５°に設定したときに（図２に示すように試験プローブＰＢａを側壁２ａの横長スリット３から差し込んだ角度のときに）、横長スリット３及び第１保護スリット２４の両方を通過するための短軸方向の隙間が最大となる。
第１実施形態では、横長スリット３及び第１保護スリット２４の短軸方向の幅Ｈを、以下の（１）式に設定している。
Ｈ  ＜  Ｔ  ＋  Ｄ√２      ………（１）
【００２７】
（１）式のように、横長スリット３及び第１保護スリット２４の短軸方向の幅Ｈを、（Ｔ＋Ｄ√２）の値を下回る数値とすることで、図２に示すように、試験プローブＰＢａを側壁２ａの横長スリット３から４５°の角度で差し込んだとしても、試験プローブＰＢａの先端が保護板７の第１保護スリット２４を通過せず、第３電解コンデンサ１４との間に適正な距離を確保する。
【００２８】
また、直径Ｄ＝２．５mm、長さＬ＝１００mmの試験プローブＰＢｂを、側壁２ａに対して直交した向きで横長スリット３に挿入すると、試験プローブＰＢｂの先端が補助板７の第２平板２２に接触するので、試験プローブＰＢｂがチョークコイル１６，１７との間に適正な距離を確保する。
なお、本発明に記載されている筐体がケース２に対応し、本発明に記載されている空気排出口が横長スリットに対応し、本発明に記載されている保護用大径通気口が第１保護スリット２４に対応している。
【００２９】
次に、第１実施形態の電力変換装置１の動作について説明する。
本実施形態の電力変換装置１は、制御コネクタに制御信号を入力すると、入力コネクタに入力された直流電力が電力変換制御ユニットにより交流に変換され、出力コネクタから交流電力として出力される。
この際、ケース２内の電力変換制御ユニット等の制御部品が発熱し、特に、複数の半導体デバイス１８、チョークコイル１６，１７の自己発熱が高くなる。
【００３０】
この電力変換装置１は、ファン６が駆動すると、ケース２の通風孔４を介して外部から取り込んだ冷風が空気取り入れ口を介してヒートシンク５の複数の通風路に入り込み、空気吹き出し口１９から吹き出す。そして、ヒートシンク５の空気吹き出し口１９から吹き出した冷風は、ケース２の側壁２ａに向かっていく。
ここで、第１実施形態ではケース２の内部にファン６を配置しているが、ケース２の一方の側壁２ａの外側にファン６を外付けする構造、或いは、一方の側壁２ａに大きな開口部を形成し、その開口部にファン６を嵌め込む構造としてもよい。
【００３１】
側壁２ａに向かった冷風は、側壁２ａの下側の複数の横長スリット２ａを通過してケース２の外部に排出される流れと、保護板７の複数の第１保護スリット２４を通過した後に側壁２ａの上側の横長スリット３を通過してケース２の外部に排出される流れに分かれる。
冷風がヒートシンク５の複数の通風路を流れることでヒートシンク５の温度が低下していき、ヒートシンク５の側壁に接触した状態で回路基板１０に実装されている複数の半導体デバイス１８が冷却されていく。
【００３２】
また、空気吹き出し口１９から冷風が吹き出すことで、空気吹き出し口１９の近くで回路基板１０に実装されているチョークコイル１６，１７に直接に冷風が接触し、チョークコイル１６，１７が冷却されていく。
次に、第１実施形態の電力変換装置１の効果について説明する。
ケース２の短辺側の一方の側壁２ａの内面には、保護板７の第１平板２１が直交して配置され、第１平板２１に対してＬ字状に延在する第２平板２２が側壁２ａの内面に平行に対向して配置されている。また、側壁２ａに複数の横長スリット３が形成され、第１平板２１に複数の第１保護スリット２４が形成されている。
【００３３】
この構造により、針金のような棒状物（直径Ｄ＝２．５mm、長さＬ＝１００mmの試験プローブＰＢａ，ＰＢｂ）を、側壁２ａの横長スリット３から挿入しても、棒状物の先端が保護板７の第１平板２１及び第２平板２２の何れかに接触することで、棒状物の先端はケース２の内部に侵入しない。
ここで、針金のような棒状物の直径をＤ（mm）とし、側壁２ａ及び保護板７の板厚を同一寸法Ｔ（mm）とし、側壁２ａに形成した横長スリット３の短軸方向の幅と、第１平板２１に形成した第１保護スリット２４の短軸方向の幅とを同一寸法Ｈ（mm）としたときに、横長スリット３及び第１保護スリット２４の短軸方向の幅Ｈを（Ｔ＋Ｄ√２）の値を下回る数値とすることで、針金のような棒状物と、チョークコイル１６，１７や第３電解コンデンサ１４との間に適正な距離を確保することができる。
【００３４】
また、側壁２ａに形成した複数の横長スリット３の開口面積、側壁２ａに直交する保護板７の第１平板２１に形成した複数の第１保護スリット２４の開口面積をできる限り増大させることから、側壁２ａの横長スリット３から外部に排出される冷風の圧力損失が低減する。これにより、ファン６の小型化を図ることができるとともに、静圧の低い安価なファン６を使用することができる。
【００３５】
［第２実施形態の電力変換装置］
次に、第２実施形態の電子機器を備える電力変換装置について、図３及び図４を参照して説明する。なお、第１実施形態の電力変換装置１と同一構成部分は、同一符号を付して説明は省略する。
第２実施形態の電力変換装置１は、ケース２の一方の側壁２ａに平行に対向している保護板７の第２平板２２に、板厚方向に連通する複数の第２保護スリット３０が形成されている。
【００３６】
複数の第２保護スリット３０は、長軸方向がケース２の長辺側の側壁２ｄ，２ｅ側に延在し、短軸方向に複数のものが隣接している。これら複数の第２保護スリット３０は、長辺側の側壁２ｄ，２ｅ側に複数組形成されている。
第２保護スリット３０の短軸方向の幅Ｈ１は、非特許文献１で国際保護コードの第１特性数字及び付加文字が「ＸＣ」の場合の要求事項として示した直径Ｄ＝２．５mm、長さＬ＝１００mmの試験プローブの直径Ｄより小さく設定されている（Ｈ１＜Ｄ）。
なお、本発明に記載されている空気排出口が横長スリットに対応し、本発明に記載されている保護用大径通気口が第１保護スリット２４に対応し、本発明に記載されている保護用小径通気口が第２保護スリット３０に対応している。
【００３７】
第２実施形態の電力変換装置１によると、針金のような棒状物（直径Ｄ＝２．５mm、長さＬ＝１００mmの試験プローブＰＢａ，ＰＢｂ）を、側壁２ａの横長スリット３から保護板７の第２平板２２に向けて挿入すると、棒状物の直径Ｄより小さな幅寸法Ｈ１の第２保護スリット３０が形成されているので、棒状物は第２平板２２よりケース２の内部に侵入せず、チョークコイル１６，１７との間に適正な距離を確保することができる。
【００３８】
また、第２平面２２に複数の第２保護スリット３０を形成した保護板７は、第１実施形態に比べてさらに開口面積が増大するので、側壁２ａの横長スリット３から外部に排出される冷風の圧力損失がさらに低減する。これにより、さらにファン６の小型化と、静圧の低い安価なファン６を提供することができる。
【００３９】
［第３実施形態の電力変換装置］
次に、第３実施形態の電子機器を備える電力変換装置について、図５及び図６を参照して説明する。
第３実施形態の電力変換装置１は、ケース２の内部に、電力変換制御ユニット、ヒートシンク５、ファン６及び保護板３１が配置されている。
【００４０】
保護板３１は、長方形状の傾斜板３２と、傾斜板３２の長手方向両端部に設けたケース固定部３３とを備えた部材である。
この保護板３１は、傾斜板３２の短尺方向の一方の縁部が一方の側壁２ａの下側に近接し、側壁２ａから離間するに従い所定の取付け角度θで上り傾斜を付けて傾斜板３２が配置され、ケース固定部３３がケース２の長辺側の側壁２ｄ，２ｅに固定されている。
【００４１】
傾斜板３２には、板厚方向に連通する複数の通風孔３４が形成されている。複数の通風孔３４は、長軸方向がケース２の長辺側の側壁２ｄ，２ｅ側に延在し、短軸方向に複数のものが隣接しているスリットである（以下、第３保護スリット３４と称する）。これら複数の第３保護スリット３４は、長辺側の側壁２ｄ，２ｅ側に複数組形成されている。
第３実施形態は、ケース２の短辺側の一方の側壁２ａ及び保護板３１の板厚は同一寸法Ｔ（mm）に設定されている。
【００４２】
また、側壁２ａに形成した横長スリット３の短軸方向の幅と、保護板３１に形成した第３保護スリット３４の短軸方向の幅は、同一寸法Ｈ３（mm）に設定されている。
ここで、側壁２ａの横長スリット３から保護板３１の第３保護スリット３４への覗き角度が、前述した取付け角度θの１／２のときに（図６に示すように試験プローブＰＢａを側壁２ａの横長スリット３から差し込んだ角度のときに）、横長スリット３及び第３保護スリット３４の両方を通過するための短軸方向の隙間が最大となる。
【００４３】
そして、直径Ｄ＝２．５mm、長さＬ＝１００mmの試験プローブＰＢａ，ＰＢｂを使用すると、第３実施形態では、横長スリット３及び第３保護スリット３４の短軸方向の幅Ｈ３を、以下の（２）式に設定している。
Ｈ３  ＜  Ｔ  ×  tan(θ/2)  ＋  Ｄ／cos(θ/2)………（２）
【００４４】
（２）式のように、横長スリット３及び第３保護スリット３４の短軸方向の幅Ｈ３を、（Ｔ×tan(θ/2)＋Ｄ／cos(θ/2)）の値を下回る数値とすることで、図６に示すように、試験プローブＰＢａを側壁２ａの横長スリット３から差し込んだとしても、試験プローブＰＢａの先端が保護板３１の第３保護スリット３４を通過せず、第３電解コンデンサ１４との間に適正な距離を確保する。
【００４５】
また、直径Ｄ＝２．５mm、長さＬ＝１００mmの試験プローブＰＢｂを、側壁２ａに対して直交した向きで横長スリット３に挿入しても、試験プローブＰＢｂの先端は保護板３１の第３保護スリット３４を通過せず、試験プローブＰＢｂがチョークコイル１６，１７との間に適正な距離を確保する。
なお、発明に記載されている保護用大径通気口が第３保護スリット３４に対応している。
【００４６】
第３実施形態の電力変換装置１によると、針金のような棒状物（直径Ｄ＝２．５mm、長さＬ＝１００mmの試験プローブＰＢａ，ＰＢｂ）を側壁２ａの横長スリット３から挿入しても、針金のような棒状物の先端が保護板３１の傾斜板３２に接触することで、棒状物の先端はケース２の内部に侵入しない。
ここで、針金のような棒状物の直径をＤ（mm）とし、側壁２ａと保護板３１の傾斜板３２の取付け角度をθ（°）とし、側壁２ａ及び保護板３１の板厚を同一寸法Ｔ（mm）とし、側壁２ａに形成した横長スリット３の短軸方向の幅と、保護板３１の傾斜板３２に形成した第３保護スリット３４の短軸方向の幅とを同一寸法Ｈ３（mm）としたときに、横長スリット３及び第３保護スリット３４の短軸方向の幅Ｈ３を（Ｔ×tan(θ/2)＋Ｄ／cos(θ/2)）の値を下回る数値とすることで、針金のような棒状物と、チョークコイル１６，１７や第３電解コンデンサ１４との間に適正な距離を確保することができる。
【００４７】
また、側壁２ａに形成した複数の横長スリット３の開口面積、保護板３１の第３保護スリット３４の開口面積をできる限り増大させることから、側壁２ａの横長スリット３から外部に排出される冷風の圧力損失が低減する。これにより、ファン６の小型化を図ることができるとともに、静圧の低い安価なファン６を使用することができる。
【００４８】
［第４実施形態の電力変換装置］
次に、第４実施形態の電子機器を備える電力変換装置について、図７及び図８を参照して説明する。
第４実施形態の電力変換装置１は、ケース２の内部に、電力変換制御ユニット、ヒートシンク５、ファン６及び保護板３５が配置されている。
【００４９】
ケース２の短辺側の一方（右側）の側壁２ａには、長辺側の側壁２ｄ，２ｅに長手方向が延在している長方形状の大きな開口部３６が形成されている。
保護板３５は、長方形状の傾斜板３７と、傾斜板３７の長手方向両端部に設けたケース固定部３８とを備えた部材である。
傾斜板３７には、板厚方向に連通する複数の第４保護スリット３９が形成されている。複数の第４保護スリット３９は、長軸方向がケース２の長辺側の側壁２ｄ，２ｅ側に延在し、短軸方向に複数のものが隣接しているスリットである。これら複数の第４保護スリット３９は、長辺側の側壁２ｄ，２ｅ側に複数組形成されている。
【００５０】
これら複数の第４保護スリット３９の短軸方向の幅Ｈ４は、針金のような棒状物（直径Ｄ＝２．５mm、長さＬ＝１００mmの試験プローブＰＢａ，ＰＢｂ）の直径Ｄより小さく設定されている（Ｈ４＜Ｄ）。
そして、保護板３５は、傾斜板３７の短尺方向の一方の縁部が側壁２ａの下側に近接し、側壁２ａから離間するに従い所定の取付け角度で上り傾斜を付けて傾斜板３７が配置され、ケース固定部３８がケース２の長辺側の側壁２ｄ，２ｅに固定されている。
なお、本発明に記載されている第２側壁の空気排出口が開口部３６に対応し、本発明に記載されている保護用小径通気口が第４保護スリット３９に対応している。
【００５１】
第４実施形態の電力変換装置１によると、針金のような棒状物（直径Ｄ＝２．５mm、長さＬ＝１００mmの試験プローブの試験プローブＰＢａ，ＰＢｂ）を側壁２ａの開口部３６から挿入すると、針金のような棒状物の先端は、保護板３５の傾斜板３７に形成した棒状物の直径Ｄより短軸方向の幅Ｈ４が小さい第４保護スリット３９を通過しないので、針金のような棒状物と、チョークコイル１６，１７や第３電解コンデンサ１４との間に適正な距離を確保することができる。
また、側壁２ａには大きな開口面積の開口部３６が形成されているので、側壁２ａの開口部３６から外部に排出される冷風の圧力損失を低減させることができる。これにより、さらにファン６の小型化と、静圧の低い安価なファン６を提供することができる。
【００５２】
［第５実施形態の電力変換装置］
次に、第５実施形態の電子機器を備える電力変換装置について、図９から図１１を参照して説明する。
第５実施形態の電力変換装置１は、ケース２の内部に、電力変換制御ユニット、ヒートシンク５、ファン６及び保護板４０が配置されている。
【００５３】
ケース２の短辺側の一方（右側）の側壁２ａには、長辺側の側壁２ｄ，２ｅに長手方向が延在している長方形状の大きな開口部３６が形成されている。
保護板４０は、長方形状の傾斜板４１と、傾斜板３７の長手方向両端部に設けたケース固定部４２とを備えた部材である。
傾斜板４１には、板厚方向に連通する複数の第５保護スリット４３が形成されている。
【００５４】
図１１に示すように、傾斜板４１の短尺方向の一端側に形成されている第５保護スリット４３の短軸方向の幅Ｈ５ａは針金のような棒状物（直径Ｄ＝２．５mm、長さＬ＝１００mm）の直径Ｄより小さく設定されている（Ｈ５ａ＜Ｄ）。また、第５保護スリット４３の短軸方向の幅は、傾斜板４１の短尺方向の一端側から他端側に向かうに従い徐々に大きくなっていき、傾斜板４１の短尺方向の他端側に形成されている第５保護スリット４３の短軸方向の幅Ｈ５ｂは、針金のような棒状物の直径Ｄより大きく設定されている（Ｈ５ｂ＞Ｄ）。これら複数の第５保護スリット４３は、長辺側の側壁２ｄ，２ｅ側に複数組形成されている。
【００５５】
なお、本発明に記載されている第２側壁の空気排出口が開口部３６に対応し、本発明に記載されている保護板が傾斜板４１に対応し、本発明に記載されている保護用小径通気口及び保護用大径通気口が第５保護スリット４３に対応している。
第５実施形態の電力変換装置１によると、針金のような棒状物を側壁２ａの開口部３６から挿入して保護板４０に略直角に接触させると（直径Ｄ＝２．５mm、長さＬ＝１００mmの試験プローブＰＢａ）、棒状物の先端は、保護板４０の傾斜板４１の短尺方向の一端側に接触し、短軸方向の幅をＨ５ａ（Ｈ５ａ＜Ｄ）とした第５保護スリット４３を通過しないので、チョークコイル１６，１７や第３電解コンデンサ１４との間に適正な距離を確保することができる。
【００５６】
また、棒状物の先端を、保護板４０の傾斜板４１の短尺方向の他端側に接触させると（直径Ｄ＝２．５mm、長さＬ＝１００mmの試験プローブＰＢｂ）、棒状物の先端が短軸方向の幅をＨ５ｂ（Ｈ５ｂ＞Ｄ）とした第５保護スリット４３の縁部に接触して内部を通過しないので、チョークコイル１６，１７や第３電解コンデンサ１４との間に適正な距離を確保することができる。
そして、傾斜板４１には、短尺方向の一端側から他端側に向かうに従い短軸方向の幅を増大させた複数の第５保護スリット４３が形成されているので、第４実施形態と比較して外部に排出される冷風の圧力損失をさらに低減させることができる。
【００５７】
［第６実施形態の電力変換装置］
次に、第６実施形態の電子機器を備える電力変換装置について、図１２及び図１３を参照して説明する。
第６実施形態の電力変換装置１は、ケース２の内部に、電力変換制御ユニット、ヒートシンク５、ファン６及び保護板５０が配置されている。
【００５８】
保護板５０は、図１３にも示すように、長尺板材の短尺方向を段差状に直角に折り曲げて形成した第１〜第４平板５１〜５４と、第１平板５１の長手方向両端部に設けたケース固定部５５とを備えた部材である。
この保護板５０の第１平板５１は、一方の側壁２ａの略半分の高さ位置に側壁２ａの内面に直交してチョークコイル１６、１７側に延在し、第２平板５２が側壁２ａに平行に対向して蓋８側に延在し、第３平板５３が第２平板５２の上端から側壁２ａに直交してチョークコイル１６，１７側に延在し、第４平板５４が第３平板５２の先端から側壁２ａに平行に蓋８側に延在している。
【００５９】
そして、第１〜第４平板５１〜５４には、長軸方向がケース２の長辺側の側壁２ｄ，２ｅ側に延在している第６〜第９保護スリット５６〜５９が、各平板の長尺方向及び短尺方向に複数形成されている。
第１平板５１の第６保護スリット５６の短軸方向の幅Ｈは、側壁２ａに形成した横長スリット３の幅Ｈと同一寸法であり、第１実施形態の前述した（１）式と同様に、横長スリット３及び第１保護スリット２４の短軸方向の幅Ｈは、（Ｔ＋Ｄ√２）の値を下回る数値に設定されている。
【００６０】
また、第２平板５２の第７保護スリット５７の短軸方向の幅Ｈ６と、第４平板５４の第９保護スリット５９の短軸方向の幅Ｈ８は、針金のような棒状物（直径Ｄ＝２．５mm、長さＬ＝１００mm）の直径Ｄより小さく設定されている（Ｈ６＜Ｄ，Ｈ８＜Ｄ）。
さらに、蓋８の近傍に配置される第３平板５３の第８保護スリット５８の短軸方向の幅Ｈ７は、前述した直径Ｄより大きく設定されている（Ｈ７＞Ｄ）。
【００６１】
なお、本発明に記載されている第２側壁の空気排出口が横長スリット３に対応し、本発明に記載されている保護用大径通気口が第６保護スリット５６、第８保護スリット６８に対応し、本発明に記載されている保護用小径通気口が第７保護スリット５７、第９保護スリット５９に対応している。
第６実施形態の電力変換装置１によると、針金のような棒状物（直径Ｄ＝２．５mm、長さＬ＝１００mmの試験プローブＰＢａ）が、側壁２ａの横長スリット３から保護板５０の第１平板５１に向けて挿入しても、棒状物の先端が第１平板５１の第６保護スリット５６の縁部に接触することで、棒状物の先端がケース２の内部に侵入しない。
【００６２】
また、針金のような棒状物（試験プローブＰＢｂ）が、側壁２ａの横長スリット３から第２平板５２に向けて挿入しても、棒状物の先端が第７保護スリット５７を通過しないので、棒状物の先端がケース２の内部に侵入しない。
さらに、針金のような棒状物（試験プローブＰＢｃ）が、側壁２ａの横長スリット３から第４平板５４に向けて挿入しても、棒状物の先端が第９保護スリット５９を通過しないので、棒状物の先端がケース２の内部に侵入しない。
【００６３】
したがって、第６実施形態の電力変換装置１も、針金のような棒状物と、チョークコイル１６，１７や第３電解コンデンサ１４との間に適正な距離を確保することができる。
また、第６実施形態の電力変換装置１のケース２の内部に配置されている保護板５０は、段差状に直角に折り曲げて形成した第１〜第４平板５１〜５４の全てに第６〜第９保護スリット５６〜５９を形成して開口面積をできる増大させているので、側壁２ａの横長スリット３から外部に排出される冷風の圧力損失が低減する。これにより、さらにファン６の小型化と、静圧の低い安価なファン６を提供することができる。
【００６４】
［電力変換装置の通風孔の形状］
ここで、図１から図６で示した第１〜第３実施形態の電力変換装置１の側壁２ａと、図１２及び図１３で示した第６実施形態の電力変換装置１の側壁２ａでは、通風孔として複数の横長スリット３を形成した。しかし、本発明の要旨は、電力変換装置１の内部から冷風を外部に排出するための側壁２ａの通風孔が、複数の横長スリット３に限るもではない。
【００６５】
例えば、図１４（ａ），（ｂ）に示すように、円形貫通孔９ａを多数形成したパンチングボードを側壁２ａとして使用することで、多数の円形貫通孔９ａを通風孔としてもよい。また、図１５（ａ），（ｂ）に示すように、多角形状の貫通孔９ｂを多数形成したパンチングボードを側壁２ａとして使用することで、多数の多角形状の貫通孔９ｂを通風孔としてもよい。
同様に、第１〜第６実施形態で示した保護板７，３１，３５，４０、５０にも、図１４及び図１５のような円形貫通孔９ａや多角形状の貫通孔９ｂを形成してもよい。
【００６６】
［第７，８実施形態の電力変換装置］
また、第７，８実施形態の電子機器を備える電力変換装置について、図１６から図１９を参照して説明する。
先ず、第７実施形態の電力変換装置１は、図１６及び図１７に示すように、ケース２の短辺側の一方の側壁２ａに、複数の横長スリット３が形成されている。そして、側壁２ａの外側に、横長スリット３の上縁から開口部を覆うようにルーバー６０が設けられている。なお、本発明に記載されている第２側壁の空気排出口が横長スリット３に対応している。
【００６７】
第７実施形態の電力変換装置１によると、針金のような棒状物（直径Ｄ＝２．５mm、長さＬ＝１００mmの試験プローブの試験プローブＰＢｃ）を側壁２ａの横長スリット３から挿入すると、針金のような棒状物ＰＢｃは、横長スリット３の上縁に設けたルーバー６０に係合することで、チョークコイル１６，１７や第３電解コンデンサ１４が配置されている方向には侵入せず、電子部品との間に適正な距離を確保することができる。
【００６８】
また、側壁２ａ側の内部に保護板を配置しないので、側壁２ａの横長スリット３から外部に排出される冷風の圧力損失を低減させることができる。これにより、さらにファン６の小型化と、静圧の低い安価なファン６を提供することができる。
また、第８実施形態の電力変換装置１は、図１８及び図１９に示すように、ケース２の短辺側の一方（右側）の側壁２ａに、複数の横長スリット３が形成されている。そして、側壁２ａの内側に、横長スリット３の下縁から開口部を覆うようにルーバー６１が設けられている。なお、本発明に記載されている第２側壁の空気排出口が横長スリット３に対応している。
【００６９】
第８実施形態の電力変換装置１も、側壁２ａの横長スリット３から挿入した棒状物ＰＢｃは、横長スリット３の下縁に設けたルーバー６１に係合することで、チョークコイル１６，１７や第３電解コンデンサ１４が配置されている方向には侵入せず、電子部品との間に適正な距離を確保することができる。また、側壁２ａに保護板を配置しないので、ファン６の小型化と、静圧の低い安価なファン６を提供することができる。
【００７０】
［第９，１０，１１実施形態の電力変換装置］
さらに、第９，１０，１１実施形態の電子機器を備える電力変換装置について、図２０から図２５を参照して説明する。
先ず、第９実施形態の電力変換装置１は、図２０及び図２１に示すように、ケース２の側壁２ａの一部がケース２の外側に膨出し、膨出底壁６２と、膨出側壁６３とが形成されている。
【００７１】
そして、膨出底壁６２及び膨出側壁６３には、複数の横長スリット６４が形成されている。この横長スリット６４は、長軸方向がケース２の長辺側の側壁２ｄ，２ｅ側に延在し、短軸方向に複数のものが隣接している。
この横長スリット６４の短軸方向の幅Ｈ９，Ｈ１０は、針金のような棒状物（直径Ｄ＝２．５mm、長さＬ＝１００mmの試験プローブ）の直径Ｄより小さく設定されている（Ｈ９＜Ｄ，Ｈ１０＜Ｄ）。
【００７２】
なお、発明に記載されている針金のような棒状物の直径より小さな第２側壁の空気排出口が横長スリット６４に対応している。
第９実施形態の電力変換装置１によると、針金のような棒状物が、側壁２ａの膨出底壁６２と、膨出側壁６３とから侵入しないので、ケース２内部のチョークコイル１６，１７や第３電解コンデンサ１４との間に適正な距離を確保することができる。
【００７３】
また、側壁２ａの一部を外側に膨出して膨出底壁６２及び膨出側壁６３を形成したことで側壁２ａの面積が増大する。このように面積が増大した側壁に横長スリット６４が形成されていることで、ケース２内部からの空気の排出面積が増大し、ケース２の外部に排出される冷風の圧力損失を低減させることができる。したがって、ファン６の小型化と、静圧の低い安価なファン６を提供することができる。
【００７４】
また、第１０実施形態の電力変換装置１は、図２２及び図２３に示すように、ケース２の側壁２ａの一部がケース２の内側に凹み、凹み底壁６５と、凹み側壁６６とが形成されている。
そして、凹み底壁６５及び凹み側壁６６に、複数の横長スリット６７が形成されている。横長スリット６７は、長軸方向がケース２の長辺側の側壁２ｄ，２ｅ側に延在し、短軸方向に複数のものが隣接している。
【００７５】
この横長スリット６７の短軸方向の幅Ｈ１１，Ｈ１２は、針金のような棒状物（直径Ｄ＝２．５mm、長さＬ＝１００mmの試験プローブ）の直径Ｄより小さく設定されている（Ｈ１１＜Ｄ，Ｈ１２＜Ｄ）。
なお、発明に記載されている針金のような棒状物の直径より小さな第２側壁の空気排出口が横長スリット６７に対応している。
【００７６】
第１０実施形態の電力変換装置１によると、針金のような棒状物が、側壁２ａの凹み底壁６５及び凹み側壁６６から侵入しないので、ケース２内部のチョークコイル１６，１７や第３電解コンデンサ１４との間に適正な距離を確保することができる。
また、側壁２ａの一部を内側に凹んで凹み底壁６５及び凹み側壁６６を形成したことで側壁２ａの面積が増大する。このように面積が増大した側壁に横長スリット６７が形成されていることで、ケース２内部からの空気の排出面積が増大し、ケース２の外部に排出される冷風の圧力損失を低減させることができる。したがって、ファン６の小型化と、静圧の低い安価なファン６を提供することができる。
【００７７】
さらに、第１１実施形態の電力変換装置１は、図２４及び図２５に示すように、ケース２の側壁２ａの一部が、ケース２の内側に凹んだ部位及び外側に膨出した部位が連続している凹凸壁面６８として形成されている。
そして、この凹凸壁面６８に、複数の横長スリット６９が形成されている。横長スリット６９は、長軸方向がケース２の長辺側の側壁２ｄ，２ｅ側に延在し、短軸方向に複数のものが隣接している。
【００７８】
この横長スリット６９の短軸方向の幅Ｈ１３も、針金のような棒状物（直径Ｄ＝２．５mm、長さＬ＝１００mmの試験プローブ）の直径Ｄより小さく設定されている（Ｈ１３＜Ｄ，Ｈ１２＜Ｄ）。
なお、発明に記載されている針金のような棒状物の直径より小さな第２側壁の空気排出口が横長スリット６９に対応している。
【００７９】
第１１実施形態の電力変換装置１によると、針金のような棒状物が、側壁２ａの凹凸壁面６８から侵入しないので、ケース２内部のチョークコイル１６，１７や第３電解コンデンサ１４との間に適正な距離を確保することができる。
また、側壁２ａの一部に凹凸壁面６８を形成したことで側壁２ａの面積が増大する。このように面積が増大した側壁に横長スリット６９が形成されていることで、ケース２内部からの空気の排出面積が増大し、ケース２の外部に排出される冷風の圧力損失を低減させることができる。したがって、ファン６の小型化と、静圧の低い安価なファン６を提供することができる。
【符号の説明】
【００８０】
１  電力変換装置
２  ケース
２ａ，２ｂ  短辺側の側壁
２ｃ  底板
２ｄ，２ｅ  長辺側の側壁
３  横長スリット
４  通風孔
５  ヒートシンク
６  ファン
７  保護板
８  蓋
１０  回路基板
１１  リアクトル
１２  第１電解コンデンサ
１３  第２電解コンデンサ
１４  第３電解コンデンサ
１５  トランス
１６，１７  チョークコイル
１８  半導体デバイス
１９  空気吹き出し口
２０  平板状のコイル保護板
２１  第１平板
２２  第２平板
２３  ケース固定部
２４  第１保護スリット
３０  第２保護スリット
３１  保護板
３２  傾斜板
３３  ケース固定部
３４  第３保護スリット
３５  保護板
３６  開口部
３７  傾斜板
３８  ケース固定部
３９  第４保護スリット
４０  保護板
４１  傾斜板
４２  ケース固定部
４３  第５保護スリット
５０  保護板
５１〜５４  第１〜第４平板
５６〜５９  第６〜第９保護スリット
６０，６１  ルーバー
６２  膨出底壁
６３  膨出側壁
６４  横長スリット
６５  凹み底壁
６６  凹み側壁
６７  横長スリット
６８  凹凸壁面
６９  横長スリット
【図１】
2019016751.tif 000003
【図２】
2019016751.tif 000004
【図３】
2019016751.tif 000005
【図４】
2019016751.tif 000006
【図５】
2019016751.tif 000007
【図６】
2019016751.tif 000008
【図７】
2019016751.tif 000009
【図８】
2019016751.tif 000010
【図９】
2019016751.tif 000011
【図１０】
2019016751.tif 000012
【図１１】
2019016751.tif 000013
【図１２】
2019016751.tif 000014
【図１３】
2019016751.tif 000015
【図１４】
2019016751.tif 000016
【図１５】
2019016751.tif 000017
【図１６】
2019016751.tif 000018
【図１７】
2019016751.tif 000019
【図１８】
2019016751.tif 000020
【図１９】
2019016751.tif 000021
【図２０】
2019016751.tif 000022
【図２１】
2019016751.tif 000023
【図２２】
2019016751.tif 000024
【図２３】
2019016751.tif 000025
【図２４】
2019016751.tif 000026
【図２５】
2019016751.tif 000027